(57)【特許請求の範囲】
【請求項１】
所定のメディアが着脱自在に装着されるリムーバブルメディア装着部と、
所定の方式の伝送路を介して外部の機器とデータ伝送を行うインターフェース部と、
上記リムーバブルメディア装着部に装着されたメディアと、上記伝送路で接続された外部の機器との間のデータの入力又は出力の処理を行う伝送処理部と、
上記リムーバブルメディア装着部へのメディアの装着を検出する検出部と、
上記検出部がメディアの非装着を検出したとき、上記伝送処理部への電源の供給を停止すると共に上記伝送路の終端抵抗を切断して、上記インターフェース部を介した外部の機器との通信ができない状態に設定する規制手段とを備え、
上記検出部でメディアの非装着から装着に変化したことを検出したとき、上記規制手段は、上記伝送処理部への電源の供給を開始した後に、上記伝送路の終端抵抗を接続させるようにした
リムーバブルメディア用アダプタ。
【請求項２】
請求項１記載のリムーバブルメディア用アダプタにおいて、
上記検出部でメディアの装着から非装着に変化したことを検出したとき、上記規制手段は、上記伝送路の終端抵抗を切断した後、上記伝送処理部への電源の供給を停止させるようにした
リムーバブルメディア用アダプタ。
【発明の詳細な説明】
【０００１】
【発明の属する技術分野】
本発明は、例えばメモリカードと称される記憶媒体が着脱自在に装着されて、コンピュータ装置などの外部の機器に所定のバスラインを介して接続されて、外部の機器と記憶媒体との通信を行うリムーバブルメディア用アダプタに関する。
【０００２】
【従来の技術】
従来、各種形態のメモリカードと称される記憶媒体（メディア）が規格化されており、そのメモリカードを使用して、コンピュータ装置や映像機器，音声機器などの電子機器で、画像データ，音声データ，その他のデータを記憶させることが実用化されている。
【０００３】
このメモリカードなどの記憶媒体を電子機器で使用する際には、その機器に予めメモリカードの装着部が用意されている場合、その装着部に直接カードを挿入させることで、該当する機器で、データの読出しや書込みが可能になる。これに対して、使用したい機器にメモリカードの装着部が用意されていない場合には、メモリカード用の装着部が設けられたアダプタをその機器に接続して、そのアダプタを介してデータの読出しや書込みを行うことになる。
【０００４】
アダプタと機器との接続については、機器に用意された外部インターフェースを介して接続することになる。例えば、機器がパーソナルコンピュータ装置である場合には、ＵＳＢ（Universal Serial Bus）規格として規格化されたバスラインを使用して、メモリカード用のアダプタを接続することが考えられる。
【０００５】
【発明が解決しようとする課題】
ところで、上述したＵＳＢ規格のバスラインで、コンピュータ装置にメモリカード用アダプタ等の周辺機器を接続した場合に、基本的にはその周辺機器用の電源を、コンピュータ装置側から供給するようにしてある。従って、コンピュータ装置にＵＳＢ規格のバスラインで周辺機器を接続した場合には、その周辺機器にも電源を供給する必要があり、消費電力が増大する問題がある。特に、ノート型パーソナルコンピュータ装置などの携帯用の電子機器の場合には、機器に内蔵されたバッテリ（二次電池など）を電源として使用するようにしてあり、外部機器の接続で消費電力が増大すると、バッテリの持続時間が短くなってしまう問題がある。
【０００６】
一方、上述したメモリカード用アダプタは、メモリカードが挿入されたときにだけ、コンピュータ装置などと通信を行えば良い機器であり、メモリカードが挿入されていない場合には、コンピュータ装置と通信を行う必要はない機器である。このため、アダプタにメモリカードが挿入されてない状態のときには、コンピュータ装置にアダプタが接続されていると、上述したような消費電力の問題の他に、コンピュータ装置側で接続されたアダプタの認識などのための動作が無駄になる等の問題がある。
【０００７】
このような問題を回避するためには、アダプタにメモリカードが挿入されてない状態のときには、このアダプタとコンピュータ装置とを接続するケーブルを外して、接続されてない状態にすれば良いが、このようなことを行うと、メモリカードの抜き差しを行う毎に、アダプタとコンピュータ装置との接続をやり直す必要があり、非常に手間がかかってしまう。
【０００８】
本発明はこのような状況に鑑みてなされたものであり、メモリカードなどのリムーバブルメディア用のアダプタを使用する際の問題を回避することを目的とする。
【０００９】
【課題を解決するための手段】
本発明は、リムーバブルメディア装着部へのメディアの装着を検出する検出部と、検出部がメディアの非装着を検出したとき、伝送処理部への電源の供給を停止すると共に伝送路の終端抵抗を切断して、インターフェース部を介した外部の機器との通信ができない状態に設定する規制手段を備え、検出部でメディアの非装着から装着に変化したことを検出したとき、規制手段は、上記伝送処理部への電源の供給を開始した後に、上記伝送路の終端抵抗を接続させるようにしたことを特徴とするものである。
【００１０】
かかる発明によると、リムーバブルメディア装着部にメディアが装着されていない場合には、規制手段によりこのアダプタが外部と通信ができない状態に設定される。従って、接続された外部の機器側では、アダプタが接続されてない状態と同じ状態になり、メディア非装着時のアダプタ接続による問題を回避できるようになる。
【００１１】
【発明の実施の形態】
以下、添付図面を参照して、本発明の一実施の形態について説明する。
【００１２】
本例においては、スティック状の樹脂パッケージに半導体メモリなどの部品が取付けられたメモリカードを使用するアダプタとしてあり、このアダプタを所定の規格のバスライン、例えばＵＳＢ規格のバスラインにより、外部の電子機器に接続するようにしてある。図１は接続例を示す図であり、本例のアダプタ１００は、ＵＳＢ規格のプラグが接続可能な接続端子部１０１を備えて、この接続端子部１０１をＵＳＢ規格のケーブル１を介してコンピュータ装置２００などの電子機器の接続端子部２０１と接続するようにしてある。
【００１３】
アダプタ１００には、メモリカード挿入口１０２が設けてあり、リムーバブルメディアであるメモリカード１０が着脱自在に挿入できる構成としてある。図１に示す状態に接続してあることで、アダプタ１００にメモリカード１０を挿入したとき、このメモリカード１０に記憶されたデータが読出されて、コンピュータ装置２００に伝送される。また、コンピュータ装置２００からアダプタ１００に伝送されたデータを、メモリカード１０に書込ませることができる。なお、ＵＳＢ規格のケーブル１でコンピュータ装置２００とアダプタ１００を接続したとき、アダプタ１００内で必要な電源については、コンピュータ装置２００からケーブル１を介して供給される。この電源供給に関する構成の詳細については後述する。
【００１４】
図２は、コンピュータ装置２００にアダプタ１００を接続したときの、コンピュータ装置２００から見た構成を示した図である。ここでのコンピュータ装置２００は、中央制御ユニット（ＣＰＵ）２１１と、その中央制御ユニット２１１での演算処理に必要なメモリ２１２と、大容量のデータ記憶手段であるハードディスクドライブ２１３と、表示インターフェース部２１４と、ユーザ操作インターフェース部２１６と、ＵＳＢインターフェース部２１８とが内部バスラインに接続してある。表示インターフェース部２１４には、液晶表示パネルとその駆動回路などで構成される表示部２１５が接続してあり、ユーザ操作インターフェース部２１６にはキーボード２１７やマウス装置（図示せず）が接続してある。
【００１５】
ＵＳＢインターフェース部２１８には、ＵＳＢ規格の機器が接続できる。ここでは図１に示すようにケーブル１を介してリムーバブルメディア（メモリカード）１０が装着されるアダプタ１００が接続してある。このアダプタ１００が接続してあることで、アダプタ１００に装着されたメモリカード１０からのデータの読出しや、メモリカード１０へのデータの書込みが、中央制御ユニット２１１の制御に基づいて行える。具体的には、コンピュータ装置２００は、そのコンピュータ装置に組み込まれたＯＳ（Operating System）に基づいて、ＵＳＢインターフェース部２１８にストレージ機器が接続されたと認識し、ユーザ操作によりそのストレージ機器からのデータ読出し又は書込みが指示されたとき、その処理を実行するようにしてある。但し本例の場合には、アダプタ１００にメモリカード１０が装着されていない場合には、コンピュータ装置２００はアダプタ１００及びメモリカード１０の存在を認識できないようにしてある。そのための構成及び処理については後述する。
【００１６】
図３は、本例の場合に使用されるメモリカード１０の構成の例を示したものであり、図３では裏面側を示してある。本例のメモリカード１０は、スティック状の樹脂パッケージに、不揮発性の半導体メモリと、その制御回路とが内蔵させてあり、データの書込み及び消去防止用のスイッチ１１が設けてある。また、パッケージの側面には、カード１０の装着位置を決めるための溝１２などが設けてある。カード１０の先端部には、１０個の端子２１〜３０が配置してあり、このカード１０を挿入した側の機器と各端子２１〜３０が個別に導通する。カード１０に内蔵される半導体メモリの記憶容量については、例えば数Ｍバイトから数百Ｍバイトまで自由に設定できるように構成してあり、ユーザの使用目的に合った記憶容量のメモリカードを購入して使用する。
【００１７】
図４は、図１に示すようにＵＳＢ規格でのケーブル１を使用して、複数の機器を接続した場合の、接続状態を示したものである。ＵＳＢ規格では、２台の機器をケーブルで接続したとき、一方の機器がホスト２となり、他方の機器がハブ３となる。図１の例では、コンピュータ装置２００がホスト２となり、アダプタ１００がハブ３になる。
【００１８】
ケーブル１を介して接続されるデータ伝送用の信号線としては、２本の信号線＋Ｄ，−Ｄによるツイストペアケーブルが用意されて、この２本の信号線＋Ｄ，−Ｄを使用してホスト２側のインターフェース部２ａとハブ３側のインターフェース部３ａとの間でのデータ伝送が行われる。また、ケーブル１には信号線＋Ｄ，−Ｄの他に、電源供給線（図示せず）が設けてあり、ホスト２からハブ３に例えば５Ｖの直流電源が供給される。
【００１９】
ホスト２側のインターフェース部２ａと各信号線＋Ｄ，−Ｄとの間には、それぞれ抵抗器Ｒ1 の一端が接続してあり、その抵抗器Ｒ1 の他端に得られる電位を検出する構成としてある。ハブ３側のインターフェース部３ａと各信号線＋Ｄとの間には、一端に所定電圧（ここでは３．３Ｖ）が供給される抵抗器Ｒ2 の他端が接続してある。この抵抗器Ｒ2 が、ケーブル１のダウンストリーム端にあるプルアップ抵抗として機能し、ホスト２側で抵抗器Ｒ1 の他端に所定の電位を検出したとき、ホスト２はハブ３が接続されたものと認識する。なお、図４の例では、信号線＋Ｄにプルアップ用の抵抗器Ｒ2 が接続してある例としたが、この例はハブ３としての機器でのデータ伝送速度が高速な場合（例えば１２Ｍｂｐｓ程度）であり、ハブ３としての機器でのデータ伝送速度が低速である場合（例えば１．５Ｍｂｐｓ程度）には、信号線−Ｄにプルアップ用の抵抗器Ｒ2 が接続される。プルアップ用の抵抗器Ｒ2 としては、例えば１．５ｋΩの抵抗器が使用される。
【００２０】
なお、ＵＳＢ規格においては、ホストとなるコンピュータ装置が作動した状態のままでケーブルの抜き差しを行うことができるいわゆるホットプラグ機能を備えており、ケーブル１による接続や取り外しをいつ実行しても良い。
【００２１】
次に、本例のアダプタ１００の構成を、図５を参照して説明する。図５は、アダプタ１００の内部構成の一例を示した図であり、ＵＳＢ規格のコネクタ１１１にケーブル１が接続される。このコネクタ１１１には、上述したように２本のデータ伝送用信号線＋Ｄ，−Ｄが接続されて、それぞれの信号線＋Ｄ，−Ｄが、集積回路で構成される伝送処理部１３０内のＵＳＢインターフェース部１３１に接続される構成としてある。
【００２２】
また、コネクタ１１１に接続される電源供給線は、レギュレータ１１２に接続される。このレギュレータ１１２内では、ホスト２（コンピュータ装置２００）側から供給される５Ｖの直流電源を、３．３Ｖの直流電源に変換する。レギュレータ１１２で得られた３．３Ｖの電源は、別のレギュレータ１１３に供給して、さらに１．８Ｖの直流電源に変換し、この１．８Ｖの電源を伝送処理部１３０を作動させるための電源として供給する。レギュレータ１１２での変換動作（即ち電源供給動作）は、後述する挿抜検出部１２１により制御される。
【００２３】
伝送処理部１３０は、メモリカード１０と外部との機器（コンピュータ装置２００）との間のデータ伝送の処理を実行する回路であり、ＵＳＢインターフェース部１３１の他に、中央制御ユニット（ＣＰＵ）１３２と、割り込みコントローラ１３３と、メモリインターフェース部１３４と、データ一時記憶用ＳＲＡＭ１３５と、メモリアクセスコントローラ１３６と、クロック発生部１３７と、入出力制御部１３８と、メディアインターフェース部１３９を備え、それぞれが内部バスで接続してある。データ伝送に必要なプログラムについては、伝送処理部１３０とは別体のメモリ（フラッシュＥＰＲＯＭ）１１５に用意され、そのプログラムをメモリインターフェース部１３４を介して中央制御ユニット１３２が読出して、データ伝送を実行する。
【００２４】
メモリカード１０にデータを書き込ませるためのデータ伝送時、及びメモリカード１０からデータを読出す際のデータ伝送時には、データ一時記憶用ＳＲＡＭ１３５をデータ一時記憶用のバッファとして使用するようにしてあり、メモリアクセスコントローラ１３６が、メモリカード１０側とＳＲＡＭ１３５との間でのデータ転送を制御する。
【００２５】
ＵＳＢのケーブル１側と伝送処理部１３０とのデータ伝送については、４８ＭＨｚ発振子１１８が接続されたクロック発生部１３７で発生されるクロックに基づいて実行される。伝送処理部１３０とメモリカード１０とのデータ伝送については、２０ＭＨｚ発振回路１１６から供給されるクロックに基づいて実行される。
【００２６】
レギュレータ１１２で作成された３．３Ｖの電圧については、電圧監視回路１１４で適正な電圧であるか否か検出され、その検出情報を中央制御ユニット１３２が判断するようにしてある。また、伝送処理部１３０の制御で、メモリカード１０からデータを読出すとき、及びメモリカード１０にデータを書込ませるときには、電圧処理部１３０に接続された発光ダイオード１１７を点灯させて、発光ダイオード１１７の点灯状況によりアクセス状況が判るようにしてある。
【００２７】
また本例においては、図４に示したプルアップ抵抗として機能する抵抗器１２０の一端を、コネクタ１１１とインターフェース部１３１との間の信号線＋Ｄに接続するようにしてある。そして、この抵抗器１２０の他端に、レギュレータ１１２で作成された３．３Ｖの電圧を、スイッチ１１９を介して印加するようにしてある。このスイッチ１１９としては、例えばＭＯＳＦＥＴなどのスイッチング素子を使用し、そのオン・オフの制御を例えば電圧処理部１３０内の中央制御ユニット１３２が行う。
【００２８】
スイッチ１１９がオン状態となって、プルアップ用抵抗器１２０の他端に３．３Ｖの電圧が印加されているとき、図４に示すように規定された状態でプルアップ用抵抗が接続された状態となる。従って、このときには、本例のアダプタ１００とケーブル１を介して接続されたホスト機器（図１に示すコンピュータ装置２００）で、アダプタ１００の接続を認識する。また、スイッチ１１９がオフ状態となって、プルアップ用抵抗器１２０の他端に３．３Ｖの電圧が印加されていないときには、図４に示すプルアップ用抵抗Ｒ2 を介した電圧の印加がなくなる。従って、このときには、本例のアダプタ１００とケーブル１を介して接続されたホスト機器で、アダプタ１００が接続されていないものと見なすようになる。
【００２９】
また、本例のアダプタ１００は、リムーバブルメディアであるメモリカード１０のアダプタ１００への装着の有無を検出する挿抜検出部１２１が設けてあり、この挿抜検出部１２１の検出情報に基づいて、レギュレータ１１２での電圧変換動作などを制御するようにしてある。
【００３０】
挿抜検出部１２１でのメモリカード１０の装着の有無を検出は、例えばメモリカード１０の特定の端子の状態を検出することで行われる。例えば本例のメモリカード１０の各端子２１〜３０は、図６に示すように配置されて、その内の特定の端子２２，２４，２８がメモリカード１０内のコントロールＩＣ１３に接続されてデータ伝送に使用される。また、端子２１，２６，３０は接地用端子としてあり、メモリカード１０の内部で各端子２１，２６，３０を接続させてある。
【００３１】
ここで、この端子２６と接続されるアダプタ１００内の端子１２２の電圧が、接地電位か否か挿抜検出部１２１で判断することで、メモリカード１０の有無を検出できるようになる。具体的には、接地電位であるとき、メモリカード１０が挿入されていると判断し、接地電位でないとき、メモリカード１０が非装着であると判断する。
【００３２】
次に、本例のアダプタ１００でのＵＳＢケーブル１の接続時の処理を、図７のフローチャートを参照して説明する。まず、ケーブル１が接続されたとき、アダプタ１００内のレギュレータ１１２にはホスト側の機器から５Ｖの電源が供給される（ステップＳ１１）。このときに、挿抜検出部１２１でメモリカード１０の挿入が検出されるか否か判断し（ステップＳ１２）、挿入されていると判断できたとき、レギュレータ１１２での電圧変換を開始させて、３．３Ｖの電源電圧を作成し、アダプタ１００内の各回路に変換された電源電圧を供給して作動させる（ステップＳ１３）。
【００３３】
この電源供給が開始されると、中央制御ユニット１３２などの制御により、スイッチ１１９をオン状態として、プルアップ用抵抗器１２０に、レギュレータ１１２が出力する３．３Ｖの電圧を印加する（ステップＳ１４）。この電圧の印加で、ケーブル１で接続されたホスト側の機器（コンピュータ装置２００）では、アダプタ１００のＵＳＢケーブルによる接続を認識し（ステップＳ１５）、アダプタ１００に挿入されたメモリカード１０をホスト機器の記憶媒体として使用できるようになる（ステップＳ１６）。
【００３４】
また、ステップＳ１２で、メモリカード１０の非装着が検出された際には、レギュレータ１１２をオフ状態のままとし、３．３Ｖの電源電圧を作成させない（ステップＳ１７）。従って、この状態では、プルアップ用抵抗器１２０への３．３Ｖの電圧を印加もない。
【００３５】
このように処理されることで、メモリカード１０がアダプタ１００に非装着の場合には、ケーブル１で接続されたホスト側の機器（コンピュータ装置２００）では、アダプタ１００の接続を認識できない。従って、アダプタ１００やメモリカード１０はないものとしてホスト側の機器がデータ処理を実行するようになる。
【００３６】
次に、本例のアダプタ１００でのメモリカード挿抜時の処理を、図８のフローチャートを参照して説明する。まず、メモリカード１０の挿入又は抜き取りの有無を挿抜検出部１２１で判断させて（ステップＳ２１）、メモリカード１０が挿入されたと判断したとき、レギュレータ１１２での電圧変換を開始させて、３．３Ｖの電源電圧を作成し、アダプタ１００内の各回路に変換された電源電圧を供給して作動させる（ステップＳ２２）。
【００３７】
この電源供給が開始されると、中央制御ユニット１３２などの制御により、スイッチ１１９をオン状態として、プルアップ用抵抗器１２０に、レギュレータ１１２が出力する３．３Ｖの電圧を印加する（ステップＳ２３）。この電圧の印加で、ケーブル１で接続されたホスト側の機器（コンピュータ装置２００）では、アダプタ１００のＵＳＢケーブルによる接続を認識し（ステップＳ２４）、アダプタ１００に挿入されたメモリカード１０をホスト機器の記憶媒体として使用できるようになる（ステップＳ２５）。
【００３８】
また、ステップＳ２１で、メモリカード１０が抜き取られたと検出された際には、スイッチ１１９をオフ状態として、プルアップ用抵抗器１２０へのレギュレータ１１２からの３．３Ｖの電圧の印加を停止させる（ステップＳ２６）。このプルアップ用抵抗器１２０の切断により、ケーブル１で接続されたホスト側の機器（コンピュータ装置２００）では、アダプタ１００の接続を認識できなくなり、アダプタ１００が接続されなくなったと判断される（ステップＳ２７）。そして次に、レギュレータ１１２をオフ状態とし、３．３Ｖの電源電圧の作成についても停止させる（ステップＳ２８）。
【００３９】
このように本例のアダプタ１００によると、リムーバブルメディアであるメモリカード１０の装着の有無に基づいて、アダプタ１００内の電源の制御と、プルアップ用抵抗の接続の制御を行うことで、ＵＳＢ規格のケーブル１を介して接続されたホスト側の機器では、メモリカード１０が装着された状態のときだけ、アダプタ１００のケーブル１を介した接続を認識できるようになる。従って、メモリカード１０が非装着の場合には、ホスト側の機器でアダプタ１００の存在を認識せず、そのための処理や表示などが行われることがなく、無駄な認識動作や表示動作が行われなくなる。また、アダプタ１００内の電源回路であるレギュレータが、メモリカード１０の非装着時には作動しないことで、メモリカード１０の非装着時にアダプタ１００が電力を消費することがなくなり、それだけホスト側の機器での電源供給の負担が少なくなる。例えばホスト側の機器が、内蔵されたバッテリにより駆動される機器である場合に、そのバッテリの持続時間を長くすることが可能になる。
【００４０】
なお、上述した実施の形態では、リムーバブルメディアであるメモリカード１０の非装着時の処理として、電源回路であるレギュレータの動作制御と、プルアップ用抵抗の接続制御とを個別に行うようにしたが、レギュレータで電源の作成を行わないことで、結果的にプルアップ用抵抗器１２０にも電源が供給されなくなるので、レギュレータの動作制御だけを行うようにしても良い。
【００４１】
逆に、プルアップ用抵抗器１２０の制御だけを行うようにしても良い。即ち、プルアップ用抵抗器１２０に電源が供給されない状態である限りは、アダプタ１００の内部の回路が作動していても、ホスト側の機器でアダプタ１００の存在を認識しないので、ホスト側の機器ではアダプタ１００がないものとして処理を実行するようになる。但し、この場合にはアダプタ１００は、メディアの有無にかかわらず常時作動している状態となり、電力を消費する。
【００４２】
また、上述した実施の形態では、リムーバブルメディアであるメモリカード１０の装着を電気的に検出するようにしたが、機構的にメモリカード１０の装着の有無を検出して、電源などを制御するようにしても良い。図９は、この場合のアダプタ１００の構成の一例を示した図である。この例では、メモリカード１０がアダプタ１００に装着されたとき、機構的なスイッチ１５１のレバー１５２が押し下げられて、その押下力で、コネクタ１１１とレギュレータ１１２の間の電源供給路に設けた開閉スイッチ１５３が閉状態となり、レギュレータ１１２に電源が供給されるようになる。また、メモリカード１０がアダプタ１００に非装着であるときには、スイッチ１５１のレバー１５２が突出した状態のままとなり、開閉スイッチ１５３を開状態とし、レギュレータ１１２への電源の供給が阻止されるようにする。なお、この例ではレギュレータ１１２からプルアップ用抵抗器１２０には、図５に示したスイッチ１１９に相当するものは設けずに、直接電源を供給するようにしてある。その他の部分は、図５に示したアダプタ１００と同様に構成する。
【００４３】
このように機構的なスイッチ１５１でリムーバブルメディアの挿抜を検出して電源のオンオフ制御を行うようにした場合でも、上述した図５の構成の場合と同様の制御が可能になる。
【００４４】
また、上述した実施の形態では、ＵＳＢ規格のバスラインに接続されるメモリカード用アダプタとしたが、その他の方式の伝送路を使用して外部の機器と通信を行うアダプタにも適用できるものである。この場合、アダプタと外部の機器との通信は、有線の伝送路による接続の他に、例えばブルートゥース（Bluetooth ）などの方式により無線通信を行うものでも良い。
【００４５】
また、上述した実施の形態では、リムーバブルメディアとして、スティック状のメモリカードを使用したが、その他の形状や規格のメモリカードを記憶媒体として使用したアダプタにも適用できると共に、メモリカード以外の各種リムーバブルメディア用のアダプタにも適用できるものである。
【００４６】
【発明の効果】
本発明によると、リムーバブルメディア装着部にメディアが装着されていない場合には、規制手段によりこのアダプタが外部と通信ができない状態に設定される。従って、接続された外部の機器側では、アダプタが接続されてない状態と同じ状態になり、メディア非装着時のアダプタ接続による問題を回避できるようになる。
【００４７】
例えば規制手段は、バスラインの終端抵抗を切断して、通信ができない状態に設定する手段としたことで、外部の機器側では、バスラインを介してアダプタが接続されていないものと判断されるようになり、メディアが装着されいないアダプタを認識するための無駄な処理などが必要なくなる。
【００４８】
また、例えば規制手段は、伝送処理部への電源の供給を停止して、通信ができない状態に設定する手段としたことで、アダプタそのものがメディア非装着時に作動しなくなり、無駄な電力消費がなくなる。
【図面の簡単な説明】
【図１】本発明の一実施の形態による接続例を示す斜視図である。
【図２】本発明の一実施の形態による全体構成の例を示すブロック図である。
【図３】本発明の一実施の形態で使用されるメモリカードの一例を示す斜視図である。
【図４】ＵＳＢ規格のバスラインによる接続状態の例を示すブロック図である。
【図５】本発明の一実施の形態によるアダプタの構成例を示すブロック図である。
【図６】本発明の一実施の形態によるアダプタでのメモリカード接続部の構成を示す説明図である。
【図７】本発明の一実施の形態によるバスライン接続時の処理例を示すフローチャートである。
【図８】本発明の一実施の形態によるメディア挿抜時の処理例を示すフローチャートである。
【図９】本発明の他の実施の形態によるアダプタの構成例を示すブロック図である。
【符号の説明】
１…バスライン用ケーブル、１０…スティック状メモリカード（リムーバブルメディア）、２１〜３０…端子、１００…アダプタ、１０１…接続端子部、１０２…メモリカード挿入口、１１１…ＵＳＢコネクタ部、１１２…レギュレータ、１１９…スイッチ、１２０…プルアップ用抵抗器、１２１…挿抜検出部、１３０…伝送処理部、２００…コンピュータ装置、２０１…接続端子部
【図１】
0004483018.tif 000002
【図２】
0004483018.tif 000003
【図３】
0004483018.tif 000004
【図４】
0004483018.tif 000005
【図５】
0004483018.tif 000006
【図６】
0004483018.tif 000007
【図７】
0004483018.tif 000008
【図８】
0004483018.tif 000009
【図９】
0004483018.tif 000010